(57)【特許請求の範囲】
【請求項１】
点光源と、
この点光源の後面にコーン状の反射面を形成する反射体と、
前記反射面の中心と前記点光源とを結ぶ光軸に沿って前記点光源の前方に配置された正の屈折力の第１のレンズ群と、
前記第１のレンズ群の前方に配置された第２のレンズであって、屈折力が負またはゼロの中央部と、屈折力が正の周辺部とを具備する複合タイプの第２のレンズを有し、前記中央部の径は、前記第２のレンズの外径の１から２０％の範囲であり、前記第２のレンズの中央部は、前記点光源から放射された後、前記反射面で反射され、前記第１のレンズ群で屈折された反射光束が前記光軸に集光される位置に配置されている、光出力装置。
【請求項２】
請求項１において、前記点光源となる発光ダイオードと、前記反射体と、前記第１のレンズ群として機能する先端レンズ部とがユニット化された発光ダイオードユニットとを備えている光出力装置。
【請求項３】
請求項１または２において、前記複合レンズの前記点光源側の面は平面である光出力装置。
【請求項４】
請求項１ないし３のいずれかに記載の光出力装置を有し、この光出力装置から出射された光束で一点を指示することができるポインター。
【請求項５】
請求項１ないし３のいずれかに記載の光出力装置と、
この光出力装置から出力された光束を変調する画像形成手段と、
変調された光束をスクリーンに投射するレンズシステムとを有する画像投影装置。
【発明の詳細な説明】
【０００１】
【発明の属する技術分野】
本発明は、発光ダイオードなどの点光源を用いた光源装置などの光出力装置に関するものである。
【０００２】
【従来の技術】
出射された赤色などの光束で、スクリーンなどに表示された画像の一点を指示することができるポインターの光源として、半導体レーザが広く用いられている。しかしながら、レーザ光は干渉性が高く、高出力な光となるため、直に眼を照射されたときの危険性が指摘されており、さらに安全な光源が求められている。
【０００３】
【発明が解決しようとする課題】
発光ダイオードから出射される光は干渉性が低く、それほど高出力の光とならないために、眼に対する危険性が低い。しかしながら、半導体レーザに比べて、発光量が小さく、光の発散角も大きい。したがって、半導体レーザと比較すれば安全ではあるが、ポインターの光源などの発光量が必要とされる光源としては有効とは考えられていない。近年、発光ダイオードの開発の進展に伴い発光量は増加しつつあるが、光の発散角を効果的に小さくする技術は開発されていない。
【０００４】
そこで、本発明は、発光ダイオードなどの発散角の大きな光を出射する点光源を用いた光出力装置において、発散角の十分小さい光束を投射することができる装置を提供することを目的とする。そして、半導体レーザの代わりにポインターの光源として十分に利用することができる、発光ダイオードをベースとした光出力装置を提供することを目的としている。
【０００５】
このため、図１に示すような、ランプ型と称される発光ダイオードユニット１０から出射される光束を本願の発明者らが検討したところ、以下に示すような放射モードで発光ダイオードから出射される光束を表現できることが分かった。図１に示した発光ダイオードユニット１０は、ほぼ中央に配置された発光ダイオード１２と、発光ダイオード１２の後面（背面）に配置されたコーン状の反射面１４を備えた反射体１３と、発光ダイオード１２に電力を供給する電極１１とを有し、これらが透明な樹脂１７によりモールドされたり、覆われることにより一体となっている。そして、発光ダイオード１２の前面の樹脂は先端（前方）に凸となるように成型されており、この部分が先端凸レンズ１６として機能する。したがって、発光ダイオード１２から出射された光束は、反射面１４の中心１４ａと発光ダイオード１２とを結ぶ光軸１９に沿って前方に出射され、先端凸レンズ１６によりある程度集光された状態で供給される。
【０００６】
このランプ型の発光ダイオード（チップ）１２は大きさが０．１〜０．３ｍｍ程度の微小光源であり、発散角の大きな光を出力する。したがって、２ｍｍ程度の反射鏡、５ｍｍ程度の先端レンズの光学系では発散性の光源、すなわち、点光源となり、チップ１２から出射される光束は概ね次の４つのモードに分類することができる。
（Ａ）  チップ１２の前面から放射されコーン状の反射面１４にはあたらず直接先端凸レンズ１６で屈折されて前方に投射される光束に係る放射モード（Ａモード）。
（Ｂ）  チップ１２の周囲から放射されコーン状の反射面１４で反射された後、先端凸レンズ１６で屈折されて前方に投射される光束に係る放射モード（Ｂモード）。
（Ｃ）  発光ダイオード光源１０の樹脂部１７の側面で全反射された後、先端凸レンズ１６で屈折されて外部に放射される光に係る放射モード（Ｃモード）。
（Ｄ）  発光ダイオード光源１０の樹脂部側面から外部に放射される拡散光に係る放射モード（Ｄモード）。
【０００７】
上記の放射モードのうち、Ｃモードの光とＤモードの光は、拡散度合が大きすぎてポインターや画像投影装置などに使用するのはほとんど不可能である。一方、ＡモードおよびＢモードの光束は、光軸１９に沿って前方に出射されるので、これらは集光して利用できる可能性がある。まず、Ａモードの光束は、図２に示すように、発光ダイオードユニット１０の前方に凸レンズ３４を配置することにより、さらに発散角を小さくすることが可能である。しかしながら、凸レンズを配置すると、Ｂモードの光束は発散してしまい、利用できない。
【０００８】
これに対し、Ｂモードの光束は、図３に示すように、発光ダイオードユニット１０の前方に凹レンズを配置することによって、発散角の小さい光束とすることが可能である。しかしながら、Ａモードの光束は発散してしまい、利用できない。したがって、ＡモードまたはＢモードの光束だけであれば、発散角を抑えてビーム径の小さな光束として出力することが可能であるが、半導体レーザと対抗するような発光量を求めようとすると、ＡモードおよびＢモードの両方の光束が必要とされる。その結果、図１に示すような、Ａモードの発散を多少抑制し、Ｂモードの発散を大きくは促進しない程度のパワーのレンズ（先端凸レンズ）１６を設けて光量を確保する程度が発光ダイオードユニットを光源とした場合の限界となっている。
【０００９】
【課題を解決するための手段】
そこで、本発明においては、上記のＢモードの光束、すなわち、反射光束が集光される近傍に、ＢモードおよびＡモードの光束を平行光束化する第２のレンズ群を配置することにより、ＡモードおよびＢモードの光束を含む平行な光束を出射できるようにしている。すなわち、点光源と、この点光源の後面にコーン状の反射面を形成する反射体とを有する本発明の光出力装置においては、反射面の中心と点光源とを結ぶ光軸に沿って点光源の前方に配置された正の屈折力の第１のレンズ群に加え、反射面から出射され、第１のレンズ群を透過した反射光束が光軸近傍に集光される近傍に、光軸近傍の屈折力が負またはゼロで、周辺の屈折力が正である第２のレンズ群を配置している。
【００１０】
上述したように、Ａモードの光束と、Ｂモードの光束とは性質が異なるので１つのレンズで平行光束化することは不可能である。また、２種類のレンズを配置したとしても、ＡモードおよびＢモードの双方の光束に対して作用するので、状況を改善することはできない。これに対し、本発明においては、Ｂモードの光束が光軸近傍に集光された位置に第２のレンズ群を配置しているので、Ｂモードの光束に対しては光軸近傍の屈折力を負とすることにより凹レンズとしての作用を与え、また、Ａモードの光束に対しては周辺の屈折力を正とすることにより凸レンズとして作用を与えることができる。すなわち、第１のレンズ群によりＢモードの光束を光軸の近傍に集光させることにより、その位置では、Ａモードの光束とＢモードの光束とが空間的にほぼ分離される。そして、その位置に、光軸近傍の屈折力が負またはゼロで、周辺の屈折力が正である第２のレンズ群を配置することにより、Ａモードの光束には凸レンズとしての作用を与え、Ｂモードの光束には凹レンズとしての作用を与えることが可能となる。その結果、第２のレンズ群よりＡモードおよびＢモードの光束が合成された発散角の小さな、ほぼ平行に近い光束として利用できる光を出力することが可能となる。
【００１１】
また、光軸近傍の屈折力をゼロ、すなわち焦点が無限大のレンズとすることにより、Ａモードの光軸に沿った光束成分が凹レンズの効果により発散するのを防止でき、また、Ｂモードの光束が光軸に集光して凸レンズの効果によって発散するのを防止できる。特に、第１のレンズ群のパワーをＢモードの光束が平行光束になる程度に止め、第２のレンズ群のパワーにより主にＡモードの光束を平行光束化して、Ｂモードの光束が発散するのを防止する構成とすることにより、ＡモードおよびＢモードの光束が合成された発散角の小さな光束を得ることができる。すなわち、光軸に沿って点光源の前方に配置され、反射面から出射された反射光束をほぼ平行光束にする正の屈折力の第１のレンズ群と、この第１のレンズ群の前方に配置され、光軸近傍の屈折力はなく、周辺の屈折力が正である第２のレンズ群とを有する光出力装置によっても、ＡモードおよびＢモードの光束からなる発散角の小さな光束を出力できる。
【００１２】
したがって、本発明の光出力装置により、点光源から直に出力された光束と、反射面で反射した光束とが合成された発散角の小さな光束を出射することができる。このため、発光ダイオードのような発散角の大きな光を出力する微小な光源を点光源として、十分に輝度の高く、半導体レーザの代わりにポインターの光源として十分に利用することができる光出力装置を提供することが可能となる。上述したランプ型の発光ダイオードユニットは、微小光源である発光ダイオードと、反射体と、第１のレンズ群として機能する先端レンズ部とがユニット化されたものである。そして、本発明により、発光ダイオードからの出射光を２〜３ｍ先のスクリーン上で数ｃｍの領域に効率的に集中させることが可能となる。
【００１３】
第２のレンズ群は、屈折力が負またはゼロの中央部と、屈折力が正の周辺部とを具備する複合レンズにより構成される。また、Ａモードの光束のうち、中央部に入射した光束は発散角が大きくなる可能性があるので、中央部の大きさは十分小さくすることが望ましい。したがって、中央部の径は２０％以下である。その一方、中央部の径が小さすぎると、Ｂモードの光束を十分に取り込めなくなる可能性がある。したがって、中央部の径は、レンズ外径の約１％以上であり、約３％以上であることがさらに好ましい。
【００１４】
また、複合レンズの点光源側の面は平面とすることにより、さらに低コスト化できる。
【００１５】
本発明の光出力装置は、発光ダイオードを用いた投射光源でありながら発散角の十分小さい光束を投射することができる。このため、ポインターに採用することにより、スクリーン上での集光スポットが十分に小さく、眼を損傷することのない、安全で性能の良いポインターを提供することができる。
【００１６】
また、液晶プロジェクターなどの画像投影装置においては、対角１インチ前後の液晶ライトバルブなどの画像形成手段を照明するための光源として、発光ダイオードを利用しようとする試みも行われている。この場合、発光ダイオードの発光量が従来のバルブランプの発光量に比べて小さく、光の発散角も大きいという問題があり、個々の発光ダイオードからの発散角が大きいまま多数の発光ダイオードを寄せ集めて光源としても、個々の発光ダイオードからの光を効率よく液晶ライトバルブに伝達させることは容易ではない。さらに、液晶ライトバルブから投射用のレンズシステムまで効率的に伝達することも容易ではない。このため、発光ダイオードを多数寄せ集めた光源を画像投影装置の光源として実用化するのは容易ではないという問題があった。
【００１７】
これに対し、本発明の光出力装置は、発光ダイオードを用いた投射光源でありながら発散角の十分小さい光束を投射することができる。したがって、本発明の光出力装置を画像投影装置に採用することにより、上記の問題を解決することが可能となり、発光ダイオードを用いて明るく鮮明な画像を投射できる画像投影装置を提供できる。
【００１８】
【発明の実施の形態】
以下に図面を参照して、本発明についてさらに説明する。図４は、本発明にかかるポインターを示している。本例のポインター６０は、先端６１から細い光束（ビーム）６２を出射し、スクリーン６９に光のポイント６８を投射することができる。したがって、プレゼンテーションなどにおいて説明個所を指し示すためなどに用いられる。ポインター６０は、細長い円筒状のハウジング６５を備えており、その外面にビーム６２を制御するスイッチ６３が設けられている。ハウジング６５の内部には、ビーム６２を出力する投射光源５０と、電力源となるバッテリー（乾電池）６４が収納されている。さらに、ビーム６２の出口には、不用な発散光成分をカットするアパーチャ６６が設けられている。
【００１９】
図５に、投射光源５０の概略構成を示してある。この投射光源は、本発明の光出力装置に該当するものであり、発光ダイオードユニット１０と、その出射側に配置された複合レンズ２５とを備えている。発光ダイオードユニット１０は、図１を参照しながら説明したものと同じであり、ほぼ中央に配置された発光ダイオード１２と、発光ダイオード１２の後面（背面）に配置されたコーン状の反射面１４を備えた反射体１３と、発光ダイオード１２に電力を供給する電極１１とを有し、これらが透明な樹脂１７により覆われて一体となっている。そして、発光ダイオード１２の前面の樹脂は先端（前方）に凸となるように成型されており、この部分が先端凸レンズ１６、すなわち、第１のレンズ群２１として機能する。したがって、発散角の大きな光を出力する微小光源である発光ダイオード１２は点光源と見なすことができ、その微小光源から出射されたＡモードの光束（直射光）およびＢモードの光束（反射光）は、反射面１４の中心１４ａと発光ダイオード１２とを結ぶ光軸１９に沿って前方に出射され、先端凸レンズ１６によりある程度集光された状態で前方に配置された複合レンズ２５に供給される。
【００２０】
複合レンズ２５は、発光ダイオードユニット１０の先端から距離Ｌだけ前方のＢモードの光束が光軸１９にほぼ集光される位置に配置されている。複合レンズ２５は、発光ダイオードユニット１０に面した側（後面）２５ａが平坦で、出射側、すなわち前面２５ｂが出射側に凸の面となり、全体としては平凸レンズの形状である。しかしながら、光軸１９が通過するレンズ２０の中央部２７は発光ダイオードユニット１０の側に凸となるように凹んでいる。このため、本例の複合レンズ２５は、周辺部２６が出射側に凸で屈折力が正の凸レンズ領域となり、中央部２７が発光ダイオードユニット１０の側に凸で屈折力が負の凹レンズ領域となっており、本発明の第２のレンズ群２２としての機能を果たす。
【００２１】
したがって、本例の光出力装置５０においては、チップ１２の前面から放射されコーン状の反射面１４にはあたらず直に先端凸レンズ１６で屈折されて前方に投射されるＡモードの光束は、複合レンズ２５の凸レンズ状の周辺部２６によりさらに集光されて平行光束となる。一方、チップ１２の周囲から放射されコーン状の反射面１４で反射された後、先端凸レンズ１６で屈折されて前方に投射されるＢモードの光束は、複合レンズ２５の凹レンズ状の中央部２７により、光軸１９に沿った平行光束に変換される。このため、複合レンズ２５からはＡモードの成分と、Ｂモードの成分を含んだ、発散角の小さな、ほぼ平行に近い光束５５が出力される。したがって、放射状に光を出力する発光ダイオード１２を光源としながら、図４に示したポインター６０から出射される光束６２として利用することができる程度の発散角の小さな光束を得ることが可能となる。
【００２２】
また、Ａモードの光束のうち、光軸１９に沿って発光ダイオードユニット１０から出射された光束は、Ｂモードの光束と共に、複合レンズ２５の中央部２７に入射する。Ａモードの光束のうち、光軸１９の極めて近傍の光束に対しては、複合レンズ２５の中央部２７の負レンズの影響は少ない。しかしながら、その周辺の光束は負レンズの作用により発散し、平行光束に集光することが不可能になる。したがって、複合レンズ２５をＢモードの光束が光軸１９に沿って集光する焦点位置近傍に配置し、中央部２７の径をできるだけ小さくすることが望ましい。
【００２３】
たとえば、以下の第１のケースの条件の発光ダイオードユニット（ＬＥＤ）１０と複合レンズ２５とを組み合わせることにより、発散角が半角で１度以下の光束５５を出射する光出力装置５０を構成することができる。
（第１のケース）
ＬＥＤ１０の径                  ５ｍｍ
先端凸レンズ１６の形状          非球面
ＬＥＤ１０の先端から複合レンズ２５までの距離    ５．５ｍｍ
複合レンズ２５の外径        ９．０ｍｍ
凸レンズ部２６の焦点距離      ２４ｍｍ
凹レンズ部２７の外径        １．５ｍｍ
凹レンズ部２７の焦点距離  −１．３ｍｍ
有効発散角（半角）            １度以下
この第１のケースの光出力装置５０から出力される光束５５の発散角は１度以下になるので、２ｍ離れたスクリーン６９あるいはその他の壁面上に直径約７ｃｍのスポット６８を投射できる。したがって、この光出力装置５０を投射光源として採用し、さらに、不用光をカットするためのアパーチャ６６を設置することにより、発光ダイオード１２を光源としたポインター６０を提供することができる。
【００２４】
また、以下の第２のケースの条件の発光ダイオードユニット（ＬＥＤ）１０と複合レンズ２５とを組み合わせることにより、発散角が半角で４度以下の光束５５を出射する光出力装置５０を構成することができる。
（第２のケース）
ＬＥＤ１０の径                  ５ｍｍ
先端凸レンズ１６の形状          非球面
ＬＥＤ１０の先端から複合レンズ２５までの距離      ５．５ｍｍ
複合レンズ２５の外径        ７．０ｍｍ
凸レンズ部２６の焦点距離      ２４ｍｍ
凹レンズ部２７の外径        １．０ｍｍ
凹レンズ部２７の焦点距離  −１．０ｍｍ
有効発散角（半角）            ４度以下
この第２のケースの光出力装置５０から出力される光束５５の発散角も４度以下と投射照明光源としては十分に平行に近い光束となる。したがって、液晶プロジェクターなどの画像投影装置の光源として十分な性能を備えている。
【００２５】
図６に示した単板式のプロジェクター７０は、本例の光出力装置５０を複数個アレイ状などに配置して光量を確保した照明装置７１と、照明装置７１から出力された光束を変調し画像を形成する液晶ライトバルブ７２と、変調された光束をスクリーン７９に投射するレンズシステム７３と、液晶ライトバルブ７２をホストコンピュータからの画像データに基づき制御する制御装置７４とを備えている。
【００２６】
本例の発散角の小さな光束を出力する光出力装置５０を採用することにより、複数の発光ダイオードユニット１０をアレイ状に並べて照明装置７１を構成したときに、照明装置７１から出力される光束も発散角が小さく、ほぼ平行に近い光束となる。したがって、発光ダイオード１２を光源として、発光量の大きな光束を効率的に液晶ライトバルブ７２に照射することができる。そして、照射する光束の発散角が小さいので、ライトバルブ７２から出力される光束の発散角も小さく、効率良く投射レンズ７３に飲み込ませてスクリーン７９に照射することができる。したがって、発光ダイオード１２を光源として明るく鮮明な画像をスクリーン７９に投射できるプロジェクターを提供することが可能となる。単板式のプロジェクターに限らず、３板式のプロジェクターや、さらに反射式液晶素子であるＬＣｏＳ、微小ミラーを用いたＤＭＤなどのライトバルブにおいても同様である。
【００２７】
なお、上記の複合レンズ２５の構成および第１および第２のケースとして示した数値は例示にすぎない。たとえば、上記では１枚の複合レンズ２５により第２のレンズ群２２を構成しているが、複数枚のレンズにより中央部２７のパワーが負で周辺部２６のパワーが正のレンズシステムを構成することができる。しかしながら、上記のように複合レンズ２５を採用することが経済的であり、光源が発光ダイオードという単色光源の場合は色消しも不要なので、単板の複合レンズを採用することにより十分な光学的性能を得ることができる。また、Ａモードの光束のうち、複合レンズ２５の中央部２７に入射した光束は逆に発散角が大きくなるので、中央部２７の大きさは十分小さくすることが望ましく、上記のケースでは、レンズ外径の約３０％以下に収めるようにしている。中央部２７のレンズ外径は小さいことが望ましく、このため、レンズ外径の約２０％以下であることがさらに好ましい。その一方、中央部２７の径が小さすぎると、Ｂモードの光束を十分に取り込めなくなるので、レンズ外径の約１％以上、さらには約３％以上の範囲とすることが望ましい。
【００２８】
また、本例の複合レンズ２５は発光ダイオードユニット１０の側の面（後面）２５ａは平面で構成しているが、後面２５ａに凸および凹の周辺部２６および／または中央部２７を備えた複合レンズを採用することも可能である。しかしながら、Ａモードの光束をできるだけ効率良く前方投射するためには複合レンズ２５の位置はできるだけ発光ダイオードユニット１０に近いほうが良く、さらに、中央部２７の凹面のサイズはできるだけ小さいほうがよい。一方、近すぎる場合は、Ｂモードの光束の断面が十分に小さく絞り切れていないので、Ｂモードの光束の中央部２７への入射効率を高めるために中央部２７の凹面の面積を大きくしなければならず、これはＡモードの光束にとっては周辺部２６の面積が小さくなることを意味し、効率の低下を招く。したがって、複合レンズの位置および形状としては、Ｂモードの光束が最も良く集光される位置に複合レンズの中央部２７の凹面が配置されるようにして、図５に示すように、その中央部２７が発光ダイオードユニット１０と反対側に位置するように配置することが望ましい。
【００２９】
さらに、複合レンズ２５の中央部２７は屈折力がゼロ、すなわち、焦点距離が無限大となるように平面で構成することも可能である。その一例を図７に示してある。この光出力装置５０は、発光ダイオード１２と、発光ダイオード１２の後面（背面）に配置されたコーン状の反射面１４を備えた反射体１３と、発光ダイオード１２の前方に配置された第１のレンズ群２１と、さらにその前方に配置された第２のレンズ群２２を備えている。第１のレンズ群２１は、凸レンズ２３の一枚構成であり、Ｂモードの光束、すなわち、コーン状の反射面で反射された光束を光軸１９に沿って平行化する程度のパワーを備えている。第２のレンズ群２２も一枚の複合レンズ２５で構成されており、周辺部２６は凸レンズ領域であり第１のレンズ２３で若干集光されたＡモードの光束を平行光束化する程度のパワーを備えている。これに対し、複合レンズ２５の中央部２７は光軸１９に対して垂直な面で構成されておりパワーがなく、第１のレンズ２３で平行化されたＢモードの光束をそのまま通過させるようになっている。
【００３０】
したがって、この光出力装置５０から出射される光束５５も、ＡモードおよびＢモードの光束を含み、さらに発散角の小さなものとなる。このため、上記において説明した光出力装置と同様に、ポインター６０やプロジェクター７０の光源として採用するのに適している。
【００３１】
さらに、以上では、発光ダイオードを点光源とする光出力装置について説明しているが、光出力装置が採用される光学系において光源が点光源として捉えうるのであれば、点光源としてハロゲンランプなどの他の拡散型の光源を採用した装置にも本発明を適用することができる。そして、反射板として構造の簡単なコーン型を用いて、発散角が小さく、光量の大きな光束を出力することが可能な光出力装置を提供できる。
【００３２】
【発明の効果】
以上に説明したように、本発明の光出力装置は、発散角の大きな光を出射する点光源を用い、その点光源から出力されるモードの異なる複数の光束をさらに束ねて発散角が小さく、ほぼ平行に近い光束を出力することができる。したがって、半導体レーザのように発散角が小さな発光素子の代わりに発光ダイオードのような本来発散角の大きな微小な光源である発光素子を光源として発散角の小さな光束を供給する光出力装置を提供できる。このため、眼に損傷を与える可能性のない小さなポインターや、低消費電力型のプロジェクターの光源などとして、多くの分野に適用できる光出力装置を本発明により提供することが可能となる。
【図面の簡単な説明】
【図１】発光ダイオードユニットから出力される幾つかのモードの光束を示す図である。
【図２】図１に示す発光ダイオードユニットの前方に凸レンズをセットした例である。
【図３】図１に示す発光ダイオードユニットの前方に凹レンズをセットした例である。
【図４】本発明のポインターの概略構成を示す図である。
【図５】本発明の光出力装置の概要を示す図である。
【図６】本発明のプロジェクターの概略構成を示す図である。
【図７】本発明の光出力装置の異なる例を示す図である。
【符号の説明】
１０    発光ダイオード光源
１２    発光ダイオード（チップ）
１４    コーン状の反射鏡
１６    先端凸レンズ
２１    第１のレンズ群
２２    第２のレンズ群
２５    複合レンズ
２６    レンズの周辺部（凸レンズ領域）
２７    レンズの中央部（凹レンズ領域）
５０    光出力装置
６０    ポインター
７０    プロジェクター
【図１】
0004768160.tif 000002
【図２】
0004768160.tif 000003
【図３】
0004768160.tif 000004
【図４】
0004768160.tif 000005
【図５】
0004768160.tif 000006
【図６】
0004768160.tif 000007
【図７】
0004768160.tif 000008